(57)【特許請求の範囲】
【請求項１】
容器体口頸部（１００）内周に嵌合させる嵌合筒（１０）内前後を隔壁（１３）で画成するとともに、その前部空間には底壁（１４）を設けてなる隔壁部材（Ａ１）と、
上端を口頸部（１００）上方へ突出させて嵌合筒（１０）の上端部に上端部を嵌着させ、下部を容器体口頸部（１００）外周に嵌合させる装着筒（２０）の上端より頂板（２１）を延設し、頂板（２１）の前後に定量振出口（２２）と任意量振出口（２３）とを設け、頂板（２１）の定量振出口（２２）と任意量振出口（２３）間の裏面より、隔壁（１３）で画成された前部空間の上端部を前後に画成する隔壁板（２４）を垂設した栓本体（Ａ２）と、
栓本体（Ａ２）の頂板（２１）から起立して定量振出口（２２）と任意量振出口（２３）との間を横断する支柱（２７）に、それぞれ第１ヒンジ（３０）及び第２ヒンジ（４０）を介して一体的に連結させた第１蓋体(Ａ３)及び第２蓋体(Ａ４)とを備え、
第１蓋体(Ａ３)で定量振出口(２２)を、かつ第２蓋体(Ａ４)で任意量振出口(２３)を各々開閉可能に被覆閉塞するように設け、
上記隔壁板（２４）とその後方の栓本体頂板（２１）及び装着筒（２０）上端部とで囲成される部分を計量室（２５）とするとともに、隔壁（１３）で画成された前部空間内の底部を一時保留室（２６）とし、
上方から見て隔壁（１３）より後方の頂板部分に上記任意量振出口（２３）を形成し、
隔壁（１３）で画成された後部空間を通り、任意量振出口（２３）から任意量の振り出しが可能に、計量室（２５）から一時保留室（２６）を介して定量振出口（２２）からの定量の振り出しが可能に構成したことを特徴とする定量栓。
【請求項２】
隔壁（１３）の少なくとも下部を前方へ傾斜下降する傾斜部（１３ｂ）に構成した請求項１記載の定量栓。
【発明の詳細な説明】
【技術分野】
【０００１】
本発明は定量栓に関し、詳しくは、粉体、流体等を計量して振り出すことができる定量栓に関する。
【背景技術】
【０００２】
定量の粉体或いは任意量の粉体を取り扱い操作により選択して振り出すことができる定量栓が種々提案されている。（例えば、特許文献１を参照）
【０００３】
上記特許文献１に記載された計量栓は、容器体の口頸部に嵌合させるもので、フランジ状頂壁内周から口頸部内面へ嵌合させた嵌着筒を垂下し、該嵌着筒下端から内向きフランジを介して上方小径のテーパ状筒を起立する固定筒と、上記フランジ状頂壁後面に肉薄ヒンジで固定筒上面を閉塞する頂板を連結し、該頂板の外周部下面から、嵌着筒の上部内面へ着脱自在に嵌合させた係止筒を、上記頂板中央部下面から、テーパ状筒上端部を下部内へ遊挿させた計量筒をそれぞれ垂下し、且つ係止筒と計量筒との間の頂板部分には、小連結部分を複数残して収納物排出孔を穿設した回動部材とで形成している。
【先行技術文献】
【特許文献】
【０００４】
【特許文献１】特開平０９−１１００６３号公報
【発明の概要】
【発明が解決しようとする課題】
【０００５】
上記従来の計量栓は、容器体を倒立させた後、正立させ、再び倒立させることで、収納物排出孔から定量の粉体を振り出すことができ、また、回動部材を開放して容器体を傾けることで、テーパ状筒から任意量の粉体を振り出すことができ、定量及び任意量の粉体の振り出しを何れも簡単な操作で行うことができるという特徴がある。
【０００６】
本発明は定量の振り出し及び任意量の振り出しが可能であり、しかも、計量しての振り出し操作が簡単であり、また、定量振り出し及び任意量振り出しの切り替えが簡単で、取り扱い操作がきわめて容易な定量栓を提案する。
【課題を解決するための手段】
【０００７】
第１の手段として、以下の通り構成した。即ち、
容器体口頸部１００内周に嵌合させる嵌合筒１０内前後を隔壁１３で画成するとともに、その前部空間には底壁１４を設けてなる隔壁部材Ａ１と、
上端を口頸部１００上方へ突出させて嵌合筒１０の上端部に上端部を嵌着させ、下部を容器体口頸部１００外周に嵌合させる装着筒２０の上端より頂板２１を延設し、頂板２１の前後に定量振出口２２と任意量振出口２３とを設け、頂板２１の定量振出口２２と任意量振出口２３間の裏面より、隔壁１３で画成された前部空間の上端部を前後に画成する隔壁板２４を垂設した栓本体Ａ２と、
栓本体Ａ２の頂板２１から起立して定量振出口２２と任意量振出口２３との間を横断する支柱２７に、それぞれ第１ヒンジ３０及び第２ヒンジ４０を介して一体的に連結させた第１蓋体Ａ３及び第２蓋体Ａ４とを備え、
第１蓋体Ａ３で定量振出口２２を、かつ第２蓋体Ａ４で任意量振出口２３を各々開閉可能に被覆閉塞するように設け、
上記隔壁板２４とその後方の栓本体頂板２１及び装着筒２０上端部とで囲成される部分を計量室２５とするとともに、隔壁１３で画成された前部空間内の底部を一時保留室２６とし、
上方から見て隔壁１３より後方の頂板部分に上記任意量振出口２３を形成し、
隔壁１３で画成された後部空間を通り、任意量振出口２３から任意量の振り出しが可能に、計量室２５から一時保留室２６を介して定量振出口２２からの定量の振り出しが可能に構成した。
【０００８】
第２の手段として、以下の通り構成した。即ち、前記第１手段に於いて、隔壁１３の少なくとも下部を前方へ傾斜下降する傾斜部１３ｂに構成した。
【発明の効果】
【０００９】
本発明によれば、第２蓋体Ａ４を開いて容器体を傾けるという極めて簡単な操作で任意量の振り出しを行うことができ、第１蓋体Ａ３を開いた状態で容器体Ｂの倒立、正立、倒立を繰り返すだけの簡単な操作で定量の振り出しが行え、単なる蓋体の選択開閉という簡単な切り替え操作で定量の振り出し及び任意量の振り出しを行えるという特徴がある。また、定量振り出しに当たっては同じ操作の繰り返しで連続定量振り出しも可能である。
【００１０】
隔壁１３の少なくとも下部を前方へ傾斜下降する傾斜部１３ｂに構成した場合には、容器体Ｂ内から計量室２５内への粉体、粒体等の導入を円滑容易に行うことができる。また、先に定量振り出しを行って一時保留室２６内に粉体、粒体等が存在する場合でも、任意量の振り出しを行う際に、一時保留室２６内の粉体、粒体等が簡単に計量室２５を介して任意量振出口２３から円滑容易に振り出される利点がある。
【図面の簡単な説明】
【００１１】
【図１】定量栓の縦断面図である。（実施例１）
【図２】定量の振り出しを説明する説明図である。（実施例１）
【図３】任意量の振り出しを説明する説明図である。（実施例１）
【発明を実施するための形態】
【００１２】
以下、本発明の形態を図面を参照して説明する。
【００１３】
図１は定量栓の実施例１を示し、定量栓Ａは容器体Ｂに嵌着して使用される。
【００１４】
定量栓Ａは合成樹脂製で、隔壁部材Ａ１と、栓本体Ａ２と、第１蓋体Ａ３と、第２蓋体Ａ４とを備えている。
【００１５】
隔壁部材Ａ１は、容器体口頸部１００内周に気密に嵌合させる嵌合筒１０の上端より、口頸部１００上に延設して口頸部１００上に気密に係合するフランジ１１を延設し、また、フランジ１１の周縁部より上方に支持筒１２を一体に起立している。また、嵌合筒１０内前後を隔壁１３で画成するとともに、その前部空間を閉塞する底壁１４を設けている。隔壁１３は上端部に垂直部１３ａを、垂直部１３ａの下縁より前方へ傾斜下降する傾斜部１３ｂを延設して構成している。更に、隔壁１３の後方空間は容器体Ｂ内から支持筒１２内へ連通する連通路として構成している。
【００１６】
栓本体Ａ２は、支持筒１２外周に上端部を嵌着させるとともに、下部を容器体口頸部１００外周に嵌合させる装着筒２０の上端より頂板２１を延設し、頂板２１の前後に定量振出口２２と任意量振出口２３とを設けている。本例に於ける定量振出口２２及び任意量振出口２３は、それぞれ透孔形態に穿設しているが、基端を頂板２１に開口して上方に起立する筒状に形成することも可能である。上記任意量振出口２３は、上方から見て隔壁１３より後方の頂板部分に形成されている。
【００１７】
また、頂板２１の定量振出口２２と任意量振出口２３間の裏面より、隔壁１３で画成された前部空間の上端部を前後に画成する隔壁板２４を垂設している。そして、隔壁板２４とその後方の栓本体頂板２１及び支持筒１２とで囲成される部分を計量室２５として構成している。この計量室２５は倒立状態で使用する。また、隔壁１３で画成された前部空間内の底部を一時保留室２６として構成している。
【００１８】
第１蓋体Ａ３及び第２蓋体Ａ４は栓本体Ａ２と一体に形成されたもので、第１蓋体Ａ３は、栓本体Ａ２の頂板２１から起立して定量振出口２２と任意量振出口２３との間を横断する支柱２７に、第１ヒンジ３０を介して定量振出口２２を開閉可能に被覆閉塞する如く構成している。また、第２蓋体Ａ４は、支柱２７に第２ヒンジ４０を介して任意量振出口２３を開閉可能に被覆閉塞する如く構成している。
【００１９】
本例では、支柱２７の上端前縁部に第１ヒンジ３０を介して第１蓋板３１の後縁部を一体的に連結し、第１蓋板３１の前縁及び両側縁より下方へ、栓本体頂板２１の上面周縁部に凹設した嵌合凹部２８内に下端を嵌合する第１周壁部３２を垂設している。また、第１蓋板３１の下面より定量振出口２２に嵌合して閉塞する第１棒栓３３を垂設しており、第１周壁部３２の前面下部より第１指掛け突片３４を突設している。同様に、支柱２７の上端後縁部に第２ヒンジ４０を介して第２蓋体４１の前縁部を一体的に連結し、第２蓋体４１の後縁及び両側縁より下方へ、栓本体頂板２１の上面周縁部に凹設した嵌合凹部２８内に下端を嵌合する第２周壁部４２を垂設している。また、第２蓋体４１の下面より任意量振出口２３に嵌合して閉塞する第２棒栓４３を垂設しており、第２周壁部４２の後面下部より第２指掛け突片４４を突設している。
【００２０】
上記した定量栓Ａを使用する一例を示すと、図２（ａ）に示す如く、先ず第１蓋体Ａ３を開いたら、図２（ｂ）に示す如く、容器体Ｂを倒立させて、容器体Ｂ内の粉体，粒体等の収容物を隔壁１３後方の連通路を介して計量室２５内に導入し、ここで略定量の収容物を計量した後、図２（ｃ）に示す如く、容器体Ｂを再び正立させて計量した粉体、粒体等を一時保留室２６内に導入する。次いで、図２（ｄ）に示す如く、再び容器体Ｂを倒立させることで、一時保留室２６内の略定量の粉体、粒体等を定量振出口２２より振り出すことができる。この際容器体Ｂ内からは同様に計量室２５内に粉体、粒体等が導入され、次回の振り出し用に計量室２５内に略定量の粉体、粒体等が計量される。
【００２１】
また、任意量の粉体、粒体等を振り出したい場合には、図３に示す如く、第２蓋体Ａ４を開き、隔壁１３後方の連通路を介して任意量振出口２３より任意量の粉体、粒体等を振り出すことができる。この際、予め定量振り出しを行ったことにより一時保留室２６内に計量された粉体、粒体等があっても、一時保留室２６の粉体，粒体等は計量室２５を介して任意量振出口より振り出され、再び定量振り出しを行う際に一時保留室２６内は空になって良好な定量振り出しを行える。
【００２２】
尚、本例に於いて、隔壁部材Ａ１は嵌合筒１０の上端にフランジ１１を介して支持筒１２を立設しているが、支持筒１２は必ずしも設けなくても良く、上端を口頸部１００上方へ突出させて嵌合筒１０の上端部に装着筒２０の上端部を嵌着させる形態であれば良く、装着筒２０を口頸部１００外周に嵌合させた際に嵌合筒１０の上方に計量室を画成できる空間を形成できれば良い。例えば、フランジ１１外周縁を装着筒２０の所定上部に嵌着固定しても良く、その場合、隔壁板２４とその後方の栓本体頂板２１及び装着筒２０上端部とで囲成される部分が計量室２５として構成され、従って装着筒２０が直接、間接に計量室を形成する壁の一部を構成する。
【００２３】
また、隔壁１３の垂直部１３ａは必ずしも設けなくても良く、傾斜部１３ｂが下方からそのまま延長した形態であっても良い。
【００２４】
また、隔壁１３前方の連通路の上端開口の幅Ｘと、隔壁１３後方の連通路の上端開口の幅Ｙを考慮した場合Ｘ＞Ｙにすると計量室２５から一時保留室２６へ粉体、粒体等が移動し易いという利点があるが，その点を考慮してＸ、Ｙを適宜選択すれば良く、特に限定はない。
【００２５】
Ａ：定量栓
Ａ１：隔壁部材
１０…嵌合筒、１１…フランジ、１２…支持筒、１３…隔壁、１３ａ…垂直壁、
１３ｂ…傾斜壁、１４…底壁
Ａ２：栓本体
２０…装着筒、２１…頂板、２２…定量振出口、２３…任意量振出口、２４…隔壁板、
２５…計量室、２６…一時保留室、２７…支柱、２８…嵌合凹部
Ａ３：第１蓋体
３０…第１ヒンジ、３１…第１蓋板、３２…第１周壁部、３３…第１棒栓、
３４…第１指掛け突片
Ａ４：第２蓋体
４０…第２ヒンジ、４１…第２蓋板、４２…第２周壁部、４３…第２棒栓、
４４…第２指掛け突片
Ｂ：容器体
１００…口頸部
【図１】
0005832165.tif 000002
【図２】
0005832165.tif 000003
【図３】
0005832165.tif 000004